(57)【要約】      （修正有）【課題】学校の教師のテスト得点集計事務および研究者等の計数作業を自動的に行わせ、これらの作業の軽減と効率化を課題とする計数機を提供する。【解決手段】計数ペン１０２のペン先１２が押圧されたことを電気的に感知するためにボールペン１４の頭部カバーに係合されたマイクロスイッチ８を有する。ペン先１２が押圧されるとペン芯１５がマイクロスイッチ８のヒンジを押し、またペン先１２が押圧されなくなるとマイクロスイッチ８内のバネの力でペン芯１５が所定の位置に戻ることでマイクロスイッチ８の接点を開閉させる。ペンで正答にマル○を書く場合は誤答にバツ／を書く場合より長い時間を要する。この時間差を利用してマルバツを判定をし、電卓１００に自動で集計させる。マイクロスイッチ８の接点のオンオフ信号は判定手段１０１に送られ、マイクロスイッチ８の接点がオンになってる持続時間が所定の時間Ｓより長いとき判定手段１０１はマルと判定し、短いときバツと判定する。【選択図】図１
0003202735.tif 000002
【実用新案登録請求の範囲】
【請求項１】
テスト採点の得点集計作業や印刷物等の中の特定のものの数を計数する作業を軽減させるために、所定の操作により予め設定された数値を所定の加算信号を受信する度に加算しその時点における加算結果を表示する機能を備えた計算機及びペン先で押圧動作を行う度に出力信号を出力する計数ペン及び前記計算機と前記計数ペンの間に接続されており前記出力信号を受信した際に前記計算機に前記加算信号を出力するかどうかを判定する判定手段を有する計数機において、前記判定手段は前記押圧動作による前記出力信号の持続時間が予め設定された時間よりも長い場合に加算すると判定し、前記判定手段が加算すると判定した場合に前記計算機に前記加算信号を送信することで計数を行う、ことを特徴とする計数機。
【請求項２】
前記判定手段は、前記予め設定された時間の長さを変更する操作が可能である、ことを特徴とする請求項１に記載の計数機。
【請求項３】
前記設定された時間の変更は、前記判定手段に備えたコンデンサに流入する電流の大きさを変える可変抵抗器を操作することにより行われる、ことを特徴とする請求項２に記載の計数機。
【請求項４】
前記判定手段は、前記押圧動作による前記出力信号の持続時間が前記予め設定された時間より短い場合でも前記計算機に前記加算信号を送信するための手動のスイッチを備えている、ことを特徴とする請求項１に記載の計数機。
【考案の詳細な説明】
【技術分野】
【０００１】
本考案はテスト得点集計及びものの存在数を計数する事務機に関するものである。
【背景技術】
【０００２】
現在市販されているテスト処理として解答の正誤判定と得点集計ができるマークシート方式は数千枚数万枚の答案処理に適しているが記述解答を処理できないことやマークシート読み取り装置が必要であるので各学校における通常の中間テストや期末テスト等のテスト採点業務には向いていない。マークシート方式におけるマーク読み取り機能をコピー機に代行させるテスト処理方法もある。これらの処理は偏差値やＳ−Ｐ表など高度なテストデータ処理を必要とする研究授業や研究論文作成等に利用される。パソコン利用の得点計数機が市販されているが、データ処理による論文作成やが偏差値やＳ−Ｐ表などの作成が可能である反面操作が煩雑で使い勝手が良いわけではない。
また液体中の特定の細胞数をカウントする計数機等は市販されているが、印刷物や写真等の中の特定のものをカウントする計数機は見かけない。
【先行技術文献】
【特許文献】
【０００３】
【特許文献２】特開平７−１３６７７
【考案の概要】
【考案が解決しようとする課題】
【０００４】
中学校や高等学校の教師は試験後の数日内に配点が２点３点の小問が多い数百枚の答案のマルバツつけと得点集計をしなければならない。多用な日常業務に加えてこの膨大な採点作業をしなければならないから教師は答案用紙を自宅に持ち帰って夜遅くまで仕事をすることになる。そこで小型で軽量で安価で多機能でテストの得点集計に特化した操作が簡単な得点計数機の実現を課題とする。
【課題を解決するための手段】
【０００５】
計算機とは、電卓、計算機能を有したスマートフォン及び携帯電話機、パソコン、加算器等、電気的な計算機能を有した機器の総てを指すものとする
【０００６】
テスト採点の得点集計作業や印刷物等の中の特定のものの数を計数する作業を軽減させるために、所定の操作により予め設定された数値を所定の加算信号を受信する度に加算しその時点における加算結果を表示する機能を備えた計算機及びペン先で押圧動作を行う度に出力信号を出力する計数ペン及び前記計算機と前記計数ペンの間に接続されており前記出力信号を受信した際に前記計算機に前記加算信号を出力するかどうかを判定する判定手段を有する計数機において、前記判定手段は前記押圧動作による前記出力信号の持続時間が予め設定された時間よりも長い場合に加算すると判定し、前記判定手段が加算すると判定した場合に前記計算機に前記加算信号を送信することで計数を行う、ことを特徴とする計数機である。
【０００７】
さらに前記判定手段は、前記予め設定された時間の長さを変更する操作が可能である計
数機である。
前記設定された時間の変更は、前記判定手段に備えたコンデンサに流入する電流の大きさを変える可変抵抗器を操作することにより行われる計数機である。
【０００８】
また前記判定手段は、前記押圧動作による前記出力信号の持続時間が前記予め設定された時間より短い場合でも前記計算機に前記加算信号を送信するための手動のスイッチを備えている計数機である。
【考案の効果】
【０００９】
学生にとって重要なテスト結果の得点集計を教師が真剣に間違いなく注意深く「イチ、ニ、サン、シ、ゴ、ロク、・・・」と計数し配点を乗じて小計を算出し、さらに小計を加算し総合得点を求めることは単純ではあるが意外に頭脳負担が大きくかつ精神を集中させなければならない仕事である。本考案はこの得点集計作業を簡単かつ迅速かつ正確にすることができる。
【００１０】
マルバツをつけ終わった答案のマルをペン先１２で押圧することで得点集計ができるマルバツ判定をしない集計と、手つかずの答案にマルバツをつけると自動で得点集計をするマルバツ判定をする集計の、２つの計数方式を有するので教師が状況により使い分けられて大変重宝である。計数方式変更は図３の計数方式選択スイッチ６の切替だけでできるから至極簡単である。２つの計数方式についてそれぞれの効果を説明する。
【００１１】
マルバツ判定をしない集計の効果
マルバツをつけ終わった答案のマルをペン先１２で押圧するだけなので頭を使って数を数えるという苦しい労働から解放される。この苦しさは本考案を使用してみて初めていかに苦痛であったかがわかるものである。楽に早く得点集計が行える。本考案の計数機使用により得点集計という単純作業ゆえに苦痛であるはずの集計作業を楽に行うことができる、押圧つまり「突く」という所作は人間にとって楽しいものなのであろうか。
生徒はなぜ間違えたのか、間違いの傾向は何か、どこの理解が足りないのか、教師に指導の問題点はあったのかなどとじっくり答案を見たいときはゆっくりマルバツをつけ、あとで迅速にこのマルバツ判定をしない計数方式で得点集計をすることができる。
【００１２】
本考案は研究者や計数業務を行う人を劇的に助ける「計数カウンター」としても利用できる機能を有する。多数の種々研究者等はその研究において写真や印刷物等にある特定の対象物の数を数える必要が生じる。例えばガン患者であるかどうかをシャーレの中で患者の尿に集まったセン虫を撮影しその数を計数する、またある工学者は金属表面を撮影し数百、数千の特定の金属結晶を計数する。重み付き計数方法やチェック付き計数方法などを選択できる。実施例に具体的説明あり。
【００１３】
さらにペン先１２で押圧するとインクで「・」がつき計数済みマークとなる。また「○」や「／」などの計数済みマークをつけながら計数することもできるので計数ミスを減らせる。反対に計数済みマークをつけたくないときはインクがなくなった使用済みのペン芯を使用することあるいはペン先に覆いをすることで対応できる。
【００１４】
マルバツ判定をする集計の効果
この機能は手つかずの答案用紙にマルバツをつけていくと自動で得点集計ができてしまうので得点集計が大変早くなるから一刻も早くテスト処理を終えたいときに便利な計数方式である。マルをつけるかどうかは教師の頭脳が判定し、マルがつけられたかどうかは判定手段が判定し、その加算と結果表示は計算機１００が行う。
【００１５】
その他の効果
テスト解答の形式やその日の体調や本考案計数機への熟達度などで教師のマルバツつけの速さは変わる。電池消耗でもマルバツ判定速さは変わる。このような場合でも可変抵抗器５によって教師に最適なマルバツ判定時間を設定できる。
【００１６】
採点作業でマルをつけるかどうかは教師が教師としての頭脳を使うことでしかできないが得点集計は教師でなくてもできる。だからと言って秘密保持をしなければならないことなので他人に行わせるわけにはいかない。秘密保持が必要で教師でもなくてもできるこの部分を本考案は受け持つことができるのである。
【００１７】
本考案の計算機として小型で軽量な計算機を採用すればテストの得点集計や計数カウンターに特化した小型・軽量・簡便・安価で操作が簡単な得点計数機ないし計数カウンターとなり、通常のテストの得点集計事務や計数作業をを軽減・効率化する、しかも持ち運びが容易なので教室・職員室・自宅等どこでもいつでもで得点集計事務ができる。さらに研究者や計数業務を行う人が「計数カウンター」として利用できる考案である。
【図面の簡単な説明】
【００１８】
【図１】本考案計数機２００の全体図の一例。
【図２】計算機１００と判定手段１０１と計数ペン１０２を一体化した一例
【図３】本考案計数機２００の判定手段のための電気回路の一例。
【考案を実施するための形態】
【００１９】
わかりやすくするために計算機として電卓を使用し、場面としてテストの得点集計をする場合という設定で説明をする。
一部の電卓は＋５と入力し以下イコールキーを連続して押すと、５，１０、１５，２０・・・と加算されていく連続加算機能を持っている。マルが記入されたとき電卓のイコールキーを外部から電気的にショートさせれば得点集計をさせることができる。
【００２０】
図１を使って計数の方法を説明する。図１の計数ペン１０２のペン先１２が押圧されたことを電気的に感知するためにボールペン１４の頭部カバーに係合されたマイクロスイッチ８を有する。ペン先１２が押圧されるとペン芯１５がマイクロスイッチ８のヒンジを押し、またペン先１２が押圧されなくなるとマイクロスイッチ８内のバネの力でペン芯１５が所定の位置に戻ることでマイクロスイッチ８の接点を開閉させることができる。
【００２１】
ペンで正答にマル○を書く場合は誤答にバツ／を書く場合より長い時間を要する。この時間差を利用してマルバツを判定をし、電卓１００に自動で集計させる。マイクロスイッチ８の接点のオンオフ信号は判定手段１０１に送られ、マイクロスイッチ８の接点がオンになってる持続時間が所定の時間Ｓより長いとき判定手段１０１はマルと判定し、短いときバツと判定する。判定手段１０１によりマルと判定されたことを判定手段１０１が有する送信手段は所定の加算信号として計算機に送信する。すると前記イコールキーの両端をショートさせ、所定の数値が加算され表示されて得点集計ができる。
【００２２】
図２は計数ペン１０２と判定手段１０１とと電卓１００を一体化した場合の一例である。図３は本考案の電気的説明図である。
【００２３】
図１と図３を使って電気的動作を詳しく説明する。計数方式選択スイッチ６をオンにする。ペン先１２が押されペン芯１５が押し上げられてマイクロスイッチ８のヒンジを押すとマイクロスイッチ８の接点がオンになる。すると電流は電池１、マイクロスイッチ８、放電用電磁リレー抵抗９、放電用電磁リレー１０を流れる電流Ｌ、および電池１、マイクロスイッチ８、可変抵抗器５、ベース抵抗４、計数方式選択スイッチ６、放電用電磁リレー１０の接点を流れる電流Ｒが生じる。電流Ｌ、Ｒが流れた直後放電用電磁リレー１０が働きその接点を開く。すると電流Ｒは流れを変えて電池１、マイクロスイッチ８、可変抵抗器５、ベース抵抗４、計数方式選択スイッチ６、コンデンサ７と流れコンデンサ７を充電し始める。充電が進行しコンデンサ７の両端電圧が０．６Ｖになるとコンデンサ７に並列接続されているトランジスタ３のベース電流が流れ始める。
【００２４】
するとコレクタ電流が流れ加算信号用電磁リレー２の接点がオンになり、電卓１００のイコールキーの両端をショートさせることにより電卓１００は予め設定されている数値を加算し表示する。前記加算信号は加算信号用電磁リレー２の接点がオンになることにより発生する。コンデンサ７が充電されて０．６Ｖになるまでの時間が前記所定の時間Ｓである。前記所定の時間Ｓは電池１の電圧と可変抵抗器５とベース抵抗器４とコンデンサ７の容量によって決まる。コンデンサ７の両端電圧が０．６Ｖになる前に、つまり前記所定の時間Ｓ以内にマイクロスイッチ８がオフになると前記電流Ｌも前記電流Ｒも止まりトランジスタ３も加算信号用電磁リレー２も働かない、つまり加算されない。
【００２５】
またマイクロスイッチ８がオンになるとその持続時間が前記所定の時間Ｓ経過後でも経過前でもコンデンサ７はそれなりに充電される。マイクロスイッチ８がオンからオフになるとコンデンサ７に充電された電荷は計数方式選択スイッチ６、ベース抵抗４、可変抵抗器５、放電用電磁リレー抵抗９、放電用電磁リレー１０のコイルを通って放電するが、放電回路に抵抗があるため放電に時間がかかり、次にマイクロスイッチ８がオンになったとき充電開始が充電量ゼロからではなくなり前記所定の時間Ｓが短くなってしまう。マイクロスイッチ８がオフになるのとほぼ同時にコンデンサ７は放電を完了しなければならない。放電用電磁リレー１０がこれを解決する。マイクロスイッチ８がオン状態からオフになった瞬間に電池からの電流供給は止まり、放電用電磁リレー１０の接点は速やかに初期状態のオンに戻る。その結果コンデンサ７の両端はショートし速やかにコンデンサ７の放電を完了しコンデンサ７は初期状態の充電量ゼロに戻る。
【００２６】
可変抵抗器５はコンデンサ７に流れ込む電流の大きさを変える。その結果コンデンサ７の前記所定の時間Ｓまでの充電時間が変わる。よって可変抵抗器５は前記所定の時間Ｓを可変とすることができる。前記所定の時間Ｓが前記マルバツ判定時間である。また数個の抵抗器をロータリースイッチ等で切替える段階的な前記マルバツ判定時間の設定方法やコンデンサを可変とする方法などもある。
【００２７】
バツが×であっても前記マルバツ判定時間より長くならないので加算されない。しかし記入時間が長い「レ」をバツとして用いることは不適である。
【００２８】
ところでマルバツ判定をしない集計を可能にするために前記ペン先１２の前記押圧動作による出力信号の持続時間が前記設定された時間より短い場合でも加算すると判定することを可能にする回路に変更する方法はひとつではない。図３では判定手段１０１の中のコンデンサ７を切断する計数方式選択スイッチ６を取り付ける方法とした。
【００２９】
マルバツつけをしているとコメントを記入したいときがある。図１の計数ストッパー５０をスライドさせマイクロスイッチ８の本体とマイクロスイッチ８が有するヒンジの間にくさび形の計数ストッパー５０差し込みヒンジの上下運動を止めることによりマイクロスイッチ８は機能しなくなりペン芯１２は動かなくなる。よって通常のペンとして使用することができる。
【００３０】
計数ペンと判定手段を有線又は無産で接続することができる。
判定手段と計算機を有線又は無産で接続することができる。
【実施例】
【００３１】
マルバツ判定をしない得点集計の場合。
すでにマルバツがついてる答案用紙を用意する。図３の計数方式選択スイッチ６をオフにしてマルバツ判定をしない計数方式を選択する。配点が２点ときは電卓に＋２とキー入力する。ペン先１２でマルを押圧するたびに２点加算される。配点を４点に変更するときは電卓に＋４とキー入力する。続けてペン先１２でマルを押圧するとそれまでの得点に４点が加算されていく。メモを書くときは計数ストッパー５０をスライドさせることでメモ書きができる。
【００３２】
マルバツ判定をする得点集計の場合。
計数方式選択スイッチ６をオンにしてマルバツ判定をする計数方式を選択する。初めて使用するときは可変抵抗器５のツマミを中程にする。練習として数回ほどペン先１２でマル○はゆっくり目に、バツ「／」やバツ「×」は速め目に書き、マルバツをだんだん速く書きながら可変抵抗器５で前記マルバツ判定速さをマルバツを書く速さにあわせる。一度可変抵抗器５でマルバツ判定速さをあわせればその後は微調整で済む。
【００３３】
練習と調節が済んだら、まだマルバツがついていない答案用紙を用意する。問題配点３点のときは電卓に＋３とキー入力する。ペン先１２でマル○をつけると３点加算され、バツ「／」やバツ「×」などをつけたときは加算されない。配点を５点に変更するときは電卓に＋５とキー入力する。続けてマルバツをつけていくとマルのときだけそれまでの得点に５点が加算されていく。メモを書きたいときは計数ストッパー５０をスライドさせることでメモ書きができる。
【００３４】
研究者等が特定の対象の数を計数する「カウンター機」として使用する場合。
計数方式選択スイッチ６をオフにしてマルバツ判定をしない集計を選択し、電卓に＋１とキー入力する。数えたい対象物をペン先１２で押圧するたびに１が加算され計数される。押圧１回の加算数を２にしたいときは電卓に＋２とキー入力することで重み付きのカウントができる。
また計数方式選択スイッチ６をオンにしてマルバツ判定をする計数方式にすれば、印刷物や写真の中のものの計数作業で「これはマルこれはバツ」というチェック付き計数作業ができる。このチェック付き計数作業は安心感を伴うので人に優しい計数方式である。
【符号の説明】
【００３５】
１  電池、  ２  加算信号用電磁リレー、  ３  トランジスタ、  ４  ベース抵抗器、
５  可変抵抗器、６  計数方式選択スイッチ、  ７  コンデンサ、
８  マイクロスイッチ、  ９  放電用電磁リレー抵抗、  １０  放電用電磁リレー、
１２  ペン先、  １３  ペン芯押さえ、  １４  ボールペン、  １５  ペン芯、
５０  計数ストッパー、
１００  電卓、１０１  判定手段、  １０２  計数ペン、２００  計数機
【図１】
0003202735.tif 000003
【図２】
0003202735.tif 000004
【図３】
0003202735.tif 000005